(57)【要約】【課題】オゾン発生装置の本体部が遠隔操作部からの無線を送受信し易くなる、水栓台に設けられるオゾン発生装置を提供する。【解決手段】非金属部分を有する縦板部２１および縦板部２１の上側に設けられる金属製の天板部２２を有する台部２と、天板部２２の上側に吐水口３０が設けられる水栓装置３と、を備える水栓台１に設けられるオゾン発生装置４である。天板部２２の下側に設けられて吐水口３０より吐出される水にオゾンを混入させる本体部４０と、縦板部２１の前記非金属部分に設けられ、オゾン含有水の吐出および停止を切り替えるための操作部５１５２を有し、本体部４０に対して無線によりデータを送受信する遠隔操作部５と、を有する。【選択図】図１
2016223079.tif 000002
【特許請求の範囲】
【請求項１】
非金属部分を有する縦板部および前記縦板部の上側に設けられる金属製の天板部を有する台部と、前記天板部の上側に吐水口が設けられる水栓装置と、を備える水栓台に設けられるオゾン発生装置であって、
前記天板部の下側に設けられて前記吐水口より吐出される水にオゾンを混入させる本体部と、
前記縦板部の前記非金属部分に設けられ、オゾン含有水の吐出および停止を切り替えるための操作部を有し、前記本体部に対して無線によりデータを送受信する遠隔操作部と、を有することを特徴とするオゾン発生装置。
【請求項２】
縦板部および前記縦板部の上側に設けられる金属製の天板部を有する台部と、前記天板部の上側に吐水口が設けられる水栓装置と、を備える水栓台に設けられるオゾン発生装置であって、
前記天板部の下側に設けられて前記吐水口より吐出される水にオゾンを混入させる本体部と、
オゾン含有水の吐出および停止を切り替えるための操作部を有し、前記本体部に対して無線によりデータを送受信する遠隔操作部と、を有し、
前記本体部が、前記台部の外側に露出するアンテナを備えることを特徴とするオゾン発生装置。
【請求項３】
前記遠隔操作部が、オゾン含有水の吐出を報知する報知部を有することを特徴とする請求項１または２記載のオゾン発生装置。
【発明の詳細な説明】
【技術分野】
【０００１】
本発明は、水栓台に設けられるオゾン発生装置に関し、詳しくは、金属製の天板部を有する水栓台に設けられるオゾン発生装置に関する。
【背景技術】
【０００２】
従来より、水栓台に設けられる微細気泡発生装置が利用されている（例えば特許文献１参照）。この水栓台に設けられる微細気泡発生装置においては、微細気泡混入水が吐出可能であり、食器を洗浄する際に高い洗浄性能が得られるものである。
【先行技術文献】
【特許文献】
【０００３】
【特許文献１】特開２００９−７４３５１号公報
【発明の概要】
【発明が解決しようとする課題】
【０００４】
微細気泡混入水は、オゾンを含有する水ほど殺菌能力はないため、水栓台に設けられるオゾン発生装置が望まれていた。
【０００５】
また、金属製の天板部を有する水栓台にオゾン発生装置が設けられる場合には、オゾン発生装置の本体部が、無線により送受信する遠隔操作部からの無線を送受信できない惧れがあった。
【０００６】
本発明は上記従来の問題点に鑑みて発明したものであって、その目的とするところは、オゾン発生装置の本体部が遠隔操作部からの無線を送受信し易くなる、水栓台に設けられるオゾン発生装置を提供することにある。
【課題を解決するための手段】
【０００７】
本発明は、非金属部分を有する縦板部および前記縦板部の上側に設けられる金属製の天板部を有する台部と、前記天板部の上側に吐水口が設けられる水栓装置と、を備える水栓台に設けられるオゾン発生装置であって、前記天板部の下側に設けられて前記吐水口より吐出される水にオゾンを混入させる本体部と、前記縦板部の前記非金属部分に設けられ、オゾン含有水の吐出および停止を切り替えるための操作部を有し、前記本体部に対して無線によりデータを送受信する遠隔操作部と、を有することを特徴とする。
【０００８】
本発明は、縦板部および前記縦板部の上側に設けられる金属製の天板部を有する台部と、前記天板部の上側に吐水口が設けられる水栓装置と、を備える水栓台に設けられるオゾン発生装置であって、前記天板部の下側に設けられて前記吐水口より吐出される水にオゾンを混入させる本体部と、オゾン含有水の吐出および停止を切り替えるための操作部を有し、前記本体部に対して無線によりデータを送受信する遠隔操作部と、を有し、前記本体部が、前記台部の外側に露出するアンテナを備えることを特徴とする。
【発明の効果】
【０００９】
本発明にあっては、金属製の天板部を備える水栓台に設けられても、無線によるデータの送受信が阻害されることが抑えられ、オゾン発生装置の本体部が遠隔操作部からの無線を送受信し易くなる。
【図面の簡単な説明】
【００１０】
【図１】本発明の第一実施形態のオゾン発生装置が設けられる水栓台の要部概略断面図である。
【図２】本発明の第一実施形態のオゾン発生装置が設けられる調理台からなる水栓台の斜視図である。
【図３】オゾン発生装置が設けられる水栓台が洗面台である場合の水栓台の斜視図である。
【図４】本発明の第一実施形態の操作部の正面図である。
【図５】本発明の第二実施形態のオゾン発生装置が設けられる水栓台の要部概略断面図である。
【発明を実施するための形態】
【００１１】
本発明の水栓台に設けられるオゾン発生装置の第一実施形態について図１ないし図４に基いて説明する。
【００１２】
図１に示すように、水栓台１は、台部２と、水栓装置３と、を備えるものである。
【００１３】
水栓台１としては、図２に示すシンク２２１および吐水口３０を有する調理台１１や、図３に示すボウル部２２２および吐水口３０を有する洗面台１２が好適に挙げられるが、特にこれらに限定されない。第一実施形態では、水栓台１は図１に示す調理台１１である。
【００１４】
台部２は、図１、図２に示すように、少なくとも縦板部２１および天板部２２を有する筐体状をしたものである。縦板部２１は、図２に示すように、前板部２３、左右の側板部２４および背板部（不図示）を有する、前後左右を覆うものである。ここで、前後左右は、設計上、調理台１１（水栓台１）に対して使用者が立つ位置および向きが決められており、この設計上の位置および向きで立つ使用者から見た方向をいうものとする。
【００１５】
なお、台部２は、前板部２３、左右の側板部２４および背板部のいずれかを備えなくてもよいし、前板部２３、左右の側板部２４および背板部のいずれかの一部が欠損していてもよい。さらに、台部２が底板部を備えてもよい。また、前板部２３、左右の側板部２４および背板部は、板面を有する板でなくてもよいし、厚みも限定されない。また、前板部２３が開口を有し、この開口を開閉可能とする扉が設けられてもよく、この場合には扉も縦板部２１を構成する。縦板部２１については後でさらに説明する。
【００１６】
天板部２２は、縦板部２１の上側に設けられる金属製のものである。天板部２２は、板面を有する板で構成されるが、一部に板面を有しない部分（例えばメッシュ状をした部分）を有してもよく、全部が板でなくてもよい。また、天板部２２の厚みも限定されない。天板部２２については後でさらに説明する。
【００１７】
水栓装置３は、図１に示すように、水道等の給水源（不図示）から水が供給されるための給水管３１が接続され、水栓の開閉を行う栓操作部３３を有するものである。第一実施形態では、水栓装置３はさらに、給湯源（不図示）から湯が供給されるための給湯管３２が接続され、所望の温度、量の温水を吐出可能な混合水栓装置からなるが、このような混合水栓装置でなくてもよいものである。
【００１８】
水栓装置３は、水や湯や温水が最終的に吐出される吐水口３０が天板部２２の上側に設けられるものである。第一実施形態では、図１に示すように、水栓装置３は、水と湯が混合される温度調節部を有する本体部３４が天板部２２の上側に設けられているが、本体部３４が天板部２２の下側に設けられてもよい。また、栓操作部３３は、本体部３４に設けられて、天板部２２の上側に位置している。また、本体部３４にカランのスパウト部３５が設けられており、スパウト部３５の下流端が吐水口３０となっている。なお、吐水口３０は、スパウト部３５に形成されるのではなく、シャワーヘッド（不図示）に形成されてもよい。
【００１９】
第一実施形態では、図１、図２に示すように、天板部２２は一部にシンク２２１を備えている。図３に示すように、水栓台１が洗面台１２である場合には、天板部２２にシンク２２１ではなくボウル部２２２を備える。なお、水栓台１がシンク２２１やボウル部２２２を必ずしも備えなくてもよい。
【００２０】
水栓台１には、オゾン発生装置４が設けられる。オゾン発生装置４は、図１に示すように、オゾンが発生する本体部４０と、遠隔操作部５と、を備えるものである。このようなオゾン発生装置４は、既に様々なものが公知となっており、これらが適宜利用可能であって、特に限定されない。
【００２１】
一例として、第一実施形態のオゾン発生装置４について説明する。オゾン発生装置４は、一対の電極と、これら一対の電極に例えば１〜１０ｋＶの電圧を加える印加手段とを有する高電圧発生部４５を備える。この高電圧発生部４５において放電が行われることにより、空気中の酸素ガスを基にオゾンガスが発生する。放電によるオゾン発生は、まず「Ｏ２＋ｅ−→２Ｏ＋ｅ−」に示すように空気中の酸素分子が電子の衝突により酸素原子となり、次に、この酸素原子が「Ｏ２＋Ｏ→Ｏ３」に示すように酸素分子と結合することによるものである。
【００２２】
本体部４０は、図１に示すように、天板部２２の下側に設けられるものである。本体部４０にて発生するオゾンは、吐水口３０より吐出される水（湯や温水でもよい）に混入させて、オゾン含有水（湯や温水でもよい）として吐出される。第一実施形態では、高電圧発生部４５で発生するオゾンは、給水管３１を流れる水に混入されるが、給湯管３２を流れる湯に混入されたり、水栓装置３の本体部３４より下流側の温水に混入されてもよい。
【００２３】
図１に示すように、本体部４０は、筐体４１を備え、筐体４１に、高電圧発生部４５、高電圧発生部４５を制御する制御部４２、無線の送信部４３および受信部４４を備える。制御部４２は、ＣＰＵ(Central Processing Unit)等を備え、プログラムに基いて動作を実行する。送信部４３は、電波や赤外線等の無線によりデータを送信可能であり、受信部４４は、電波や赤外線等の無線によりデータを受信可能である。このような制御部４２、送信部４３および受信部４４は、既知の様々なものが適宜利用可能であり、特に限定されない。
【００２４】
遠隔操作部５は、図４に示すように、操作部５１を有するものである。操作部５１は、オゾン含有水の吐出および停止を切り替えるための操作が行われるものである。操作部５１は、各種ボタンやレバー等、既知の様々なものが適宜利用可能であり、特に限定されない。第一実施形態では、操作部５１として、オゾン含有水の吐出および停止を切り替えるＯＮ／ＯＦＦ操作部５１１と、オゾン含有水におけるオゾン濃度を変更する濃度操作部５１２と、電極を交換した後に操作するリセット操作部５１３と、を備えている。なお、操作部５１は、少なくともＯＮ／ＯＦＦ操作部５１１を備えるが、濃度操作部５１２およびリセット操作部５１３を備えなくてもよいし、他の操作部を備えてもよい。操作部５１の操作に基いて、送信部５３より本体部４０に対して無線によりデータを送信する。送信部５３は、上述したようなものであるが、本体部４０が備える送信部４３と同じでなくてもよい。
【００２５】
遠隔操作部５は、第一実施形態ではさらに、報知部５２を備えている。報知部５２は、オゾン含有水の吐出を報知するものである。報知部５２は、ランプや液晶等のように表示により報知を行うものや、スピーカからの音声により報知を行うもの等、既知の様々なものが適宜利用可能であり、特に限定されない。第一実施形態では、報知部５２として、オゾン含有水の吐出および停止を報知するＯＮ／ＯＦＦ報知部５２１と、オゾン含有水におけるオゾン濃度を報知する濃度報知部５２２と、電極の交換時期を報知する交換報知部５２３と、を備えている。なお、報知部５２は、少なくともＯＮ／ＯＦＦ報知部５２１を備えるが、濃度報知部５２２および交換報知部５２３を備えなくてもよいし、他の報知部を備えてもよい。報知部５２は、本体部４０からの無線によるデータを受信部５４により受信する。受信部５４は、上述したようなものであるが、本体部４０が備える受信部４４と同じでなくてもよい。
【００２６】
天板部２２は、上述したように、金属製のものであるが、一部に非金属部分（例えば樹脂、特に人造大理石等）を有してもよい。天板部２２は、好ましくは９割以上、少なくとも吐水口３０を有する部分の近傍は、金属を有していて、無線の送受信が阻害され易くなっている。第一実施形態では、図２に示すように、シンク２２１を含む天板部２２全体が金属で形成されている。
【００２７】
縦板部２１は、非金属部分２３１を有するものである。第一実施形態では、縦板部２１全体が非金属（例えば樹脂、木質材等）により形成されている。なお、縦板部２１の一部に金属部分を有してもよい。
【００２８】
そして、遠隔操作部５が、縦板部２１の非金属部分２３１に設けられるものである。第一実施形態では、非金属部分２３１の外面に遠隔操作部５が設けられている。遠隔操作部５は、接着やビス等の固着具により取り付けられたり、面状ファスナーや磁石等により着脱可能に取り付けられるが、特に取り付け方法は限定されない。
【００２９】
上述した水栓台１にあっては、オゾン発生装置４を備えており、吐水口３０よりオゾン含有水が吐出されるため、高い殺菌能力が得られるものである。
【００３０】
また、ＯＮ／ＯＦＦ報知部５２１によりオゾン含有水の吐出が報知されるため、誤飲したりするのが抑制される。
【００３１】
そして、このようなオゾン発生装置４が金属製の天板部２２の下側に設けられても、無線により送受信する遠隔操作部５が非金属部分２３１に設けられることにより、無線によるデータの送受信が阻害されることが抑えられる。この結果、報知部５２がオゾン含有水の吐出を報知し易くなる。
【００３２】
さらに第一実施形態では、図１に示すように、オゾン発生装置４が金属部材４６を備えている。特に、筐体４１の外面の遠隔操作部５に近い側に、板状をした金属部材４６が設けられるのが好ましい。金属部材４６が設けられることにより、送信部４３および受信部４４における感度が向上する。
【００３３】
なお、上述したオゾン発生装置４にあっては、本体部４０に対して無線によりデータを送受信する遠隔操作部５を有するため、後付けで水栓台１に設けられる場合に、特に有効である。
【００３４】
次に、第二実施形態について、図５に基いて説明する。なお、第一実施形態と同じ構成については説明を省略し、異なる構成について説明する。
【００３５】
第二実施形態では、第一実施形態において、さらにアンテナ４７を備えるものである。アンテナ４７は、台部２のいずれかの部分から台部２の外側に露出するように本体部４０に設けられるもので、第二実施形態では、前板部２３から外側に露出している。
【００３６】
これにより、アンテナ４７が設けられることにより、送信部４３および受信部４４における感度が向上する。
【００３７】
なお、第二実施形態においては、第一実施形態におけるように縦板部２１が非金属部分を有しなくてもよい。
【００３８】
本発明は、非金属部分を有する縦板部２１および縦板部２１の上側に設けられる金属製の天板部２２を有する台部２と、天板部２２の上側に吐水口３０が設けられる水栓装置３と、を備える水栓台１に設けられるオゾン発生装置４である。天板部２２の下側に設けられて吐水口３０より吐出される水にオゾンを混入させる本体部４０と、縦板部２１の前記非金属部分に設けられ、オゾン含有水の吐出および停止を切り替えるための操作部５１５２を有し、本体部４０に対して無線によりデータを送受信する遠隔操作部５と、を有する。
【００３９】
これにより、遠隔操作部５が非金属部分２３１に設けられるため、無線によるデータの送受信が阻害されることが抑えられ、本体部４０が遠隔操作部５からの無線を送受信し易くなる。
【００４０】
また、本発明は、縦板部２１および縦板部２１の上側に設けられる金属製の天板部２２を有する台部２と、天板部２２の上側に吐水口３０が設けられる水栓装置３と、を備える水栓台１に設けられるオゾン発生装置４である。天板部２２の下側に設けられて吐水口３０より吐出される水にオゾンを混入させる本体部４０と、オゾン含有水の吐出および停止を切り替えるための操作部５１を有し、本体部４０に対して無線によりデータを送受信する遠隔操作部５と、を有する。本体部４０が、台部２の外側に露出するアンテナ４７を備える。
【００４１】
これにより、無線によるデータの送受信が阻害されることが抑えられ、本体部４０が遠隔操作部５からの無線を送受信し易くなる。
【００４２】
また、遠隔操作部５が、オゾン含有水の吐出を報知する報知部５２を有することが好ましい。これにより、オゾン含有水が誤飲されるのが抑制される。
【符号の説明】
【００４３】
１    水栓台
２    台部
２１  縦板部
２２  天板部
３    水栓装置
３０  吐水口
４    オゾン発生装置
４０  本体部
５    遠隔操作部
５１  操作部
５２  報知部
【図１】
2016223079.tif 000003
【図２】
2016223079.tif 000004
【図３】
2016223079.tif 000005
【図４】
2016223079.tif 000006
【図５】
2016223079.tif 000007